(57)【要約】      （修正有）【課題】有機ＥＬ照明を光源とすることで、蒔絵が施された装飾部を劣化させることなく光による演出効果を実現した壁面取付可能な加飾パネルを提供する。【解決手段】壁面取付金具１２を有する背板２と、背板の表面側に設けられ、有機ＥＬ照明部３ａ、３ｄ及び制御部３ｘを有する照明パネル３と、照明パネルの表面側に設けられ、照明部よりも径の小さい導光穴４ａ、４ｄが形成された遮光カバー部４と、遮光カバー部の表面側に設けられ、導光穴よりも径の大きい第一装飾部５ａ、５ｄを有する装飾シート部５と、装飾シート部の表面側に設けられた半透明状の第一、第二フィルターシート部６、７と、第二フィルターシート部の表面側に設けられ、表面側に蒔絵が描かれた第二装飾部８ａ〜８ｅを有する加飾板８と、加飾板の表面側に設けられた装飾板９と、装飾板の表面側に設けられ、照明パネルを駆動する電源スイッチ１１を有する額縁１０から構成され、有機ＥＬ照明により第一装飾部が表面側に照らし出される。【選択図】図２
0003226469.tif 000002
【実用新案登録請求の範囲】
【請求項１】
積層構造を有する加飾パネルであって、
前記加飾パネルの裏面側に設けられた背板部と、
前記背板部の表面側に設けられ、有機ＥＬ照明部及びこの有機ＥＬ照明部を制御する制御部を有する有機ＥＬ照明パネル部と、
前記有機ＥＬ照明パネル部の表面側に設けられ、前記有機ＥＬ照明部よりも径の小さい導光穴部が形成された遮光カバー部と、
前記遮光カバー部の表面側に設けられ、前記導光穴部よりも径の大きい第一装飾部を有する装飾シート部と、
前記装飾シート部の表面側に設けられた半透明状の第一フィルターシート部と、
前記第一フィルターシート部の表面側に設けられた半透明状の第二フィルターシート部と、
前記第二フィルターシート部の表面側に設けられ、表面側に蒔絵が描かれた第二装飾部を有する加飾板部と、
前記加飾板部の表面側に設けられた装飾板部と、
前記装飾板部の表面側に設けられ、前記有機ＥＬ照明パネル部を駆動させる電源スイッチ部を有する額縁部と、
から構成されることを特徴とする有機ＥＬ照明付加飾パネル。
【請求項２】
前記背板部の裏面側に壁面取付金具を設けたこと、を特徴とする請求項１に記載の有機ＥＬ照明付加飾パネル。
【請求項３】
前記有機ＥＬ照明部は前記制御部の制御により調光及び／又は調色可能であること、を特徴とする請求項１又は２に記載の有機ＥＬ照明付加飾パネル。
【請求項４】
前記有機ＥＬ照明部の光量及び／又は光色は電源のオンから一定時間自動的に制御されること、を特徴とする請求項１乃至３のいずれか１項に記載の有機ＥＬ照明付加飾パネル。
【請求項５】
前記電源スイッチ部は指の接触又は近接又は人体感知によりスイッチ機能を発揮すること、を特徴とする請求項１乃至４のいずれか１項に記載の有機ＥＬ照明付加飾パネル。
【請求項６】
前記有機ＥＬ照明パネル部はＡＣ電源又はＤＣ電源から電力が供給されること、を特徴とする請求項１乃至５のいずれか１項に記載の有機ＥＬ照明付加飾パネル。
【考案の詳細な説明】
【技術分野】
【０００１】
本考案は、積層構造を有し、裏面側に設けられた光源から照射される光を表面側に放出させることにより装飾性を高めた加飾パネルに関する。
【背景技術】
【０００２】
室内インテリア用の装飾パネルとして、漆塗りされた板の表面に蒔絵を施した蒔絵パネルが広く知られている。
蒔絵は古くから日本に伝わる伝統的な美術技法であり、金や銀をはじめとする様々な色の粉を蒔き付けることによって鮮やかな装飾効果を奏することから、蒔絵を用いた装飾パネルは、国内は勿論、海外でも人気が高いものとなっている。
そして、このような室内に飾るパネルの装飾効果を更に高める方法として、白熱電球や蛍光灯を使用したダウンライトやスポットライトにより、上方からパネルを照らして演出する手法が一般的である。
【０００３】
しかし、白熱電球や蛍光灯は紫外線を放出するため、これらを光源とするライトで長期間光を照射されると、紫外線の影響を受けやすい蒔絵は変色・劣化してしまうという問題がある。
【考案の開示】
【考案が解決しようとする課題】
【０００４】
本考案は、このような問題を解消すべく、有機ＥＬ照明を光源とすることにより、蒔絵が施された装飾部を劣化させることなく光による演出効果を実現した壁面取付可能な加飾パネルを提供することを目的とする。
【課題を解決するための手段】
【０００５】
上記目的を達成するため、請求項１に記載の考案は、有機ＥＬ照明付加飾パネルにおいて、積層構造を有する加飾パネルであって、前記加飾パネルの裏面側に設けられた背板部と、前記背板部の表面側に設けられ、有機ＥＬ照明部及びこの有機ＥＬ照明部を制御する制御部を有する有機ＥＬ照明パネル部と、前記有機ＥＬ照明パネル部の表面側に設けられ、前記有機ＥＬ照明部よりも径の小さい導光穴部が形成された遮光カバー部と、前記遮光カバー部の表面側に設けられ、前記導光穴部よりも径の大きい第一装飾部を有する装飾シート部と、前記装飾シート部の表面側に設けられた半透明状の第一フィルターシート部と、前記第一フィルターシート部の表面側に設けられた半透明状の第二フィルターシート部と、前記第二フィルターシート部の表面側に設けられ、表面側に蒔絵が描かれた第二装飾部を有する加飾板部と、前記加飾板部の表面側に設けられた装飾板部と、前記装飾板部の表面側に設けられ、前記有機ＥＬ照明パネル部を駆動させる電源スイッチ部を有する額縁部と、から構成されることを特徴とする。
【０００６】
また、請求項２に記載の考案は、請求項１に記載の有機ＥＬ照明付加飾パネルにおいて、前記背板部の裏面側に壁面取付金具を設けたことを特徴とする。
【０００７】
また、請求項３に記載の考案は、請求項１又は２に記載の有機ＥＬ照明付加飾パネルにおいて、前記有機ＥＬ照明パネル部は前記制御部の制御により調光及び／又は調色可能であることを特徴とする。
【０００８】
また、請求項４に記載の考案は、請求項１乃至３のいずれか１項に記載の有機ＥＬ照明付加飾パネルにおいて、前記有機ＥＬ照明パネル部の光量及び／又は光色は電源のオンから一定時間自動的に制御されることを特徴とする。
【０００９】
また、請求項５に記載の考案は、請求項１乃至４のいずれか１項に記載の有機ＥＬ照明付加飾パネルにおいて、前記電源スイッチ部は指の接触又は近接又は人体感知によりスイッチ機能を発揮することを特徴とする。
【００１０】
また、請求項６に記載の考案は、請求項１乃至５のいずれか１項に記載の有機ＥＬ照明付加飾パネルにおいて、前記有機ＥＬ照明装置部はＡＣ電源又はＤＣ電源から電力が供給されることを特徴とする。
【考案の効果】
【００１１】
本考案によれば、調光・調色制御された有機ＥＬ照明パネル部による照明効果により、加飾パネルに対して効果的な演出が可能となる。
【００１２】
また、照明装置として発熱量が少なく、紫外線を放出しない有機ＥＬ照明パネルを用いることにより、蒔絵その他の加飾パネル本体を構成する被照射物へのダメージを心配する必要がなくなる。
【００１３】
また、照明装置として厚みがなく省スペースかつ軽量な有機ＥＬ照明パネルを用いることにより、加飾パネル本体を薄く、軽くすることができるため、加飾パネル本体の設置位置の自由度が増し、簡単な取付金具を用いた壁掛け等に対応することがきる。
【００１４】
また、長寿命、省電力の有機ＥＬ照明パネルを用いることにより、照明装置のメンテナンスに手間がかからず、また省エネに寄与することができる。
【図面の簡単な説明】
【００１５】
【図１】加飾パネル本体の構造を示す正面図である。
【図２】加飾パネル本体の構造を示す断面図である。
【図３】（ａ）有機ＥＬ照明部が発光していない状態を示す加飾パネルの説明図である。（ｂ）加飾パネル本体の加飾効果を示す説明図である。（ｃ）加飾パネル本体の加飾効果を示す説明図である。（ｄ）加飾パネル本体の加飾効果を示す説明図である。
【図４】照明部と導光穴部と第一装飾部の位置を示す加飾パネルの正面図である。
【考案を実施するための形態】
【００１６】
以下、本考案の実施例を図面を基に詳細に説明する。
なお、本願に係る加飾パネルおいて、装飾板部が設けられている側を加飾パネルの表面側、背板部が設けられている側を加飾パネルの裏面側とする。
また、本実施例における各部の形状、大きさ、数、位置等は一例に過ぎず、本考案を限定するものではない。
【実施例１】
【００１７】
図１は内部構造の一部を可視化した加飾パネルの正面図、図２は積層構造を示す加飾パネルの断面図、図４は照明部と導光穴部と第一装飾部の位置を示す加飾パネルの正面図である。
【００１８】
符号の１は加飾パネル本体、２は加飾パネル本体１の裏面側に設けられた背板部、１２は背板部２の背面に設けられた壁面取付金具、３は背板部２の表面側に設けられ、有機ＥＬ照明部３ａ、３ｂ、３ｃ、３ｄ及び有機ＥＬ照明部３ａ、３ｂ、３ｃ、３ｄを制御する制御部３ｘを有する有機ＥＬ照明パネル部である。
有機ＥＬ照明部３ａ、３ｂ、３ｃは月の装飾５ａ、５ｂ、５ｃを裏面側から照らすための照明部、有機ＥＬ照明部３ｄは蛍火の装飾５ｄを裏面側から照らすための照明部である。
【００１９】
有機ＥＬ照明パネル部３は、電力線を介してＡＣ電源又はＤＣ電源（図示せず。）に接続されており、ＡＣ電源又はＤＣ電源から有機ＥＬ照明パネル部３に電力が供給されると、制御部３ｘの制御により有機ＥＬ照明部３ａ、３ｂ、３ｃ、３ｄが発光する。
【００２０】
符号の４は有機ＥＬ照明パネル部３の表面側に設けられた遮光性を有する遮光カバー部であり、遮光カバー部４には、有機ＥＬ照明部３ａ、３ｂ、３ｃと対向する位置に有機ＥＬ照明部３ａ、３ｂ、３ｃよりも径の小さい導光穴部４ａ、４ｂ、４ｃ、有機ＥＬ照明部３ｄと対向する位置に有機ＥＬ照明部３ｄよりも径の小さい導光穴部４ｄが形成されている。
【００２１】
符号の５は遮光カバー部４の表面側に設けられた装飾シート部であり、装飾シート部５には、導光穴部４ａ、４ｂ、４ｃと対向する位置に、導光穴部４ａ、４ｂ、４ｃよりも径の大きい月の装飾５ａ、５ｂ、５ｃ（第一装飾部）、導光穴部４ｄと対向する位置に導光穴部４ｄよりも径の大きい蛍火の装飾５ｄ（第一装飾部）が設けられている。
【００２２】
符号の６は装飾シート部５の表面側に設けられた透光性を有する第一フィルターシート部であり、第一フィルターシート部６は第一装飾部５ａ、５ｂ、５ｃ、５ｄの輪郭が外部から視認されないよう、例えば乳白色等の半透明状となっている。
【００２３】
符号の７は第一フィルターシート部６の表面側に設けられた透光性を有する第二フィルターシート部であり、第二フィルターシート部７は第一装飾部５ａ、５ｂ、５ｃ、５ｄの輪郭が外部から視認されないよう、例えば乳白色等の半透明状となっている。
【００２４】
なお、本実施例においてはフィルターシートを２枚使用しているが、フィルターシートの数は必要に応じて適宜増減することができる。
【００２５】
符号の８は第二フィルターシート部７の表面側に設けられた透光性を有する加飾板部であり、加飾板部８の表面側に格子８ａ、ススキ８ｂ、兎８ｃ、蛍８ｄ、雲８ｅの蒔絵（第二装飾部）が描かれている。
蛍の蒔絵８ｄは、蛍の発光部である尾部付近が蛍火の装飾５ｄと対向する位置となるように描かれている。
加飾板部８としては通常のアクリル板を用いても良いが、蒔絵（第二装飾部）を引き立たせ装飾効果を高めるために和紙等のデザインを模したアクリル装飾板を用いてもよい。
【００２６】
符号の９は加飾板部８の表面側に設けられた装飾板部であり、装飾板部９は装飾効果を損なわぬよう中心が円形に中抜きされた形状となっている。
また、加飾板部８は漆塗りされており、漆には乾燥時間の短縮を図るためにＵＶ漆を用いてもよい。
【００２７】
符号の１０は、装飾板部９の表面側に設けられた額縁部であり、図２に示すように、額縁部１０が、背板部２、有機ＥＬ照明パネル部３、遮光カバー部４、装飾シート部５、第一フィルターシート部６、第二フィルターシート部７、加飾板部８、装飾板部９の側面及び装飾板部９の表面の一部を覆うことにより各部が固定され、加飾パネル１が構成される。
【００２８】
符号の１１は額縁部１０の側面に設けられた有機ＥＬ照明パネル部３への通電をオン・オフする電源スイッチ部であり、電源スイッチ部１１には、その機能性やデザイン性からタッチスイッチやセンサースイッチを用いても良い。
【００２９】
次に、本考案の加飾効果について説明する。
一般的な明るさの室内に設置され、電源がオフの状態の加飾パネル本体１は、図３（ａ）に示すように、外部からは格子や蛍等の第二装飾部８ａ等は視認されるが、第一装飾部である月の装飾５ａ、５ｂ、５ｃや蛍火の装飾５ｄは視認されない。
【００３０】
使用者が電源スイッチ部１１をオンにすると有機ＥＬ照明パネル部３に電力が供給され、制御部３ｘに記憶された調光プログラムが実行されて有機ＥＬ照明部３ａ、３ｄが発光する。
【００３１】
有機ＥＬ照明部３ａ、３ｄから射出された光は、導光穴部４ａ、４ｄに導かれて月の装飾５ａと蛍火の装飾５ｄを通って表面側に放出され、図３（ｂ）に示すように、月の装飾５ａと蛍火の装飾５ｄが明るく照らし出されて浮かび上がることにより、月の装飾５ａと蛍火の装飾５ｄが加飾パネル本体１の表面側から視認される。
【００３２】
この際、有機ＥＬ照明部３ａ、３ｄの発光色を寒色系（白色や青みがかった色）や暖色系（黄色や赤みがかった色）に調色制御してもよいし、月の装飾５ａの模様が鮮やかに現れるよう有機ＥＬ照明部３ａの光量を少なくしたり、有機ＥＬ照明部３ａ、３ｄが発光を開始してから一定時間（例えば２秒間）をかけて徐々に光量を増やして最大光量に達するよう調光制御してもよい。
【００３３】
これらの調光・調色制御については、後述する有機ＥＬ照明部３ｂ、３ｃの発光時にも適用される。
【００３４】
また、有機ＥＬ照明部３ｄを点滅発光（明滅の周期は２〜５秒が好適である。）させることにより本物の蛍が発光しているような効果を得ることができるし、複数の有機ＥＬ照明部３ｄのうち任意の照明部のみを発光させたり、照明部をランダムに発光させるよう制御してもよい。
【００３５】
次に、有機ＥＬ照明部３ａが発光を開始してから一定時間（例えば１分間）経過すると、図３（ｃ）に示すように、有機ＥＬ照明部３ａが消光、有機ＥＬ照明部３ｂが発光し、有機ＥＬ照明部３ｂから射出された光は導光穴部４ｂに導かれて月の装飾５ｂを通って表面側に放出され、月の装飾５ｂが明るく照らし出される。
【００３６】
次に、有機ＥＬ照明部３ｂが発光を開始してから一定時間（例えば１分間）経過すると、図３（ｄ）に示すように、有機ＥＬ照明部３ｂが消光、有機ＥＬ照明部３ｃが発光し、有機ＥＬ照明部３ｃから射出された光は導光穴部４ｃに導かれて月の装飾５ｃを通って表面側に放出され、月の装飾５ｃが明るく照らし出される。
【００３７】
次に、有機ＥＬ照明部３ｃが発光を開始してから一定時間（例えば１分間）経過すると、図３（ｂ）に示すように、有機ＥＬ照明部３ｃが消光、有機ＥＬ照明部３ａが発光し、有機ＥＬ照明部３ａから射出された光は導光穴部４ａに導かれて月の装飾５ａを通って表面側に放出され、月の装飾５ａが明るく照らし出される。
【００３８】
加飾パネル本体１は、これら一連の動作を繰り返すことにより月の出入りを再現して時間の経過を表現することができるため、一枚のパネルとして構成されていながら、見る者に様々な印象を与えることができる。
【００３９】
加飾パネル本体１は、背板部２の背面に設けられた壁面取付金具１２によって壁面に取付け可能であり、その方法としては、図２に示すネジを用いて壁のネジ穴で直接固定してもよいし、ブラケットやフック等を用いて固定してもよい。
【００４０】
また、加飾パネル１は、壁面取付金具１２を使用せず、スタンド等を用いて棚やキャビネット、サイドボード等の上に設置することもできる。
【符号の説明】
【００４１】
１  加飾パネル本体
２  背板部
３  有機ＥＬ照明パネル部
３ａ，３ｂ，３ｃ，３ｄ  有機ＥＬ照明部
３ｘ  制御部
４  遮光カバー部
４ａ，４ｂ，４ｃ  導光穴部
５  装飾シート部
５ａ，５ｂ，５ｃ  月の装飾（第一装飾部）
５ｄ  蛍火の装飾（第一装飾部）
６  第一フィルターシート部
７  第二フィルターシート部
８  加飾板部
８ａ，８ｂ，８ｃ，８ｄ，８ｅ  蒔絵（第二装飾部）
９  装飾板部
１０  額縁部
１１  電源スイッチ部
１２  壁面取付金具
【図１】
0003226469.tif 000003
【図２】
0003226469.tif 000004
【図３】
0003226469.tif 000005
【図４】
0003226469.tif 000006